(57)【要約】【課題】  ユーザの安全確保が図られた原稿読取装置を提供する。【解決手段】  載置台に載置された原稿を１枚ずつ送り出し、所定の搬送路に沿って自動搬送する搬送部を有する自動原稿搬送器を備えた上蓋と、自動原稿搬送器によって搬送されてきた原稿と対向する位置に備えられたコンタクトガラスと、上蓋でコンタクトガラスを覆った際に、コンタクトガラスと対向する位置に配備される放熱部材と、搬送されてくる原稿に向けてコンタクトガラスの下方から光を照射し原稿で反射して戻ってくる反射光を受光する画像読取器とを備え、放熱部材は、上蓋がコンタクトガラスを覆っている期間のうちの、自動原稿搬送器による原稿搬送がなされていない間は、コンタクトガラスと接触し、自動原稿搬送器により原稿搬送がなされている間は、搬送されてきた原稿を該コンタクトガラスとの間で通過自在にニップする。【選択図】        図３
2007329647.tif 000002
【特許請求の範囲】
【請求項１】
画像が記録された原稿を載置する載置台と、該載置台に載置された原稿を１枚ずつ送り出し、所定の搬送路に沿って自動搬送する搬送部と、該搬送部によって搬送された原稿を回収する回収台とを有する自動原稿搬送器を備えた開閉自在な上蓋と、
前記上蓋により覆われる、前記自動原稿搬送器によって搬送されてきた原稿と対向する位置に備えられたコンタクトガラスと、
前記上蓋に備えられたものであって、該上蓋が前記コンタクトガラスを覆った際に、該コンタクトガラスと対向する位置に配備される放熱部材と、
搬送されてくる原稿に向けて前記コンタクトガラスの下方から光を照射し該原稿で反射して戻ってくる反射光を受光する画像読取器とを備え、
前記放熱部材は、前記上蓋が前記コンタクトガラスを覆っている期間のうちの、前記自動原稿搬送器による原稿搬送がなされていない間は、該コンタクトガラスと接触し、該自動原稿搬送器により原稿搬送がなされている間は、搬送されてきた原稿を該コンタクトガラスとの間で通過自在にニップするものであることを特徴とする原稿読取装置。
【請求項２】
前記放熱部材が、所定の中心軸に回動自在に軸支された、通過自在にニップした原稿の該通過の際に従動回転する、断面が多角形状のものであることを特徴とする請求項１記載の原稿読取装置。
【発明の詳細な説明】
【技術分野】
【０００１】
本発明は、原稿上に記録された画像を読み取る原稿読取装置に関する。
【背景技術】
【０００２】
従来より、原稿上に記録された画像を読み取るための原稿読取装置が知られている。
【０００３】
原稿読取装置では、プラテンガラスと呼ばれる原稿載置用のガラス板の上に載置された原稿に向けて、露光光源を走査させながら光を照射し、原稿からの反射光を受像センサ上に結像させることで画像信号を得ている。
【０００４】
また、原稿読取装置には、所定のトレイ上に原稿を重ねて載置するだけで、重ねられた原稿から一枚ずつ原稿を送り出して所定の搬送路を搬送する自動原稿搬送器が備えられたものがあり、この自動原稿搬送器を用いた場合の原稿の読取りは、プラテンガラス上に載置された原稿の読取りとは異なり、搬送路を搬送される原稿と対向する位置に配置されたコンタクトガラスの下面側からこのコンタクトガラスの上面側を通過する原稿に向けて、静止した露光光源から光をコンタクトガラス越しに照射し、原稿からの反射光を受像センサ上に結像させることで行われている。
【０００５】
ところが、自動原稿搬送器を用いた原稿の読取りにおいては、コンタクトガラスの下面側から上面側を通過する原稿に向けて照射された光や原稿からの反射光はコンタクトガラス上の所定部位を通過する。このため、トレイ上に載置された原稿枚数が多い場合には、コンタクトガラスのこの所定部位の温度が過度に上昇し、ユーザが誤ってその部分に触れると火傷を負う危険性がある。
【０００６】
そこで、原稿読取装置に、コンタクトガラスの周囲の空気を積極的に換気するためのファンを備えることで、コンタクトガラスの所定部位の過度の温度上昇を抑える提案がなされている（特許文献１参照。）。
【０００７】
しかしながら、上記提案では、ファンの駆動に伴う騒音の発生や、ファンを備えたことによる埃等の装置内への進入に依る悪影響が懸念される。
【０００８】
これに対し、自動原稿搬送器の、コンタクトガラスと対向する部位を放熱部材とすることでコンタクトガラスの熱を放熱する提案がなされている（特許文献２参照）。
【特許文献１】特開平１１−６９０９１号公報
【特許文献２】実開平３−１０５８５３号公報
【発明の開示】
【発明が解決しようとする課題】
【０００９】
しかしながら、特許文献２の提案では、コンタクトガラスから対向する放熱部材側への熱の移動は充分ではなく、ユーザの安全確保という点では不十分と言わざるを得ない。
【００１０】
本発明は、上記事情に鑑み、ユーザの安全を確保する工夫が図られた原稿読取装置を提供することを目的とする。
【課題を解決するための手段】
【００１１】
上記目的を達成するための本発明の原稿読取装置は、
画像が記録された原稿を載置する載置台と、この載置台に載置された原稿を１枚ずつ送り出し、所定の搬送路に沿って自動搬送する搬送部と、この搬送部によって搬送された原稿を回収する回収台とを有する自動原稿搬送器を備えた開閉自在な上蓋と、
上記上蓋により覆われる、上記自動原稿搬送器によって搬送されてきた原稿と対向する位置に備えられたコンタクトガラスと、
上記上蓋に備えられたものであって、この上蓋が上記コンタクトガラスを覆った際に、このコンタクトガラスと対向する位置に配備される放熱部材と、
搬送されてくる原稿に向けて上記コンタクトガラスの下方から光を照射しこの原稿で反射して戻ってくる反射光を受光する画像読取器とを備え、
上記放熱部材は、上記上蓋が上記コンタクトガラスを覆っている期間のうちの、上記自動原稿搬送器による原稿搬送がなされていない間は、このコンタクトガラスと接触し、この自動原稿搬送器により原稿搬送がなされている間は、搬送されてきた原稿をこのコンタクトガラスとの間で通過自在にニップするものであることを特徴とする。
【００１２】
本発明の原稿読取装置では、上蓋がコンタクトガラスを覆った状態で、自動原稿搬送器による原稿搬送がなされていない間は、放熱部材はコンタクトガラスと接触してコンタクトガラスの熱を放熱し、自動原稿搬送器により原稿搬送がなされている間は、搬送されてきた原稿をこのコンタクトガラスとの間で通過自在にニップすることで、コンタクトガラスの熱を原稿に移行させている。したがって、本発明の原稿読取装置によれば、コンタクトガラスの温度上昇を抑え、ユーザの安全を確保することができる。
【００１３】
ここで、上記放熱部材が、所定の中心軸に回動自在に軸支された、通過自在にニップした原稿のこの通過の際に従動回転する、断面が正多角形状のものであることが好ましい。
【００１４】
放熱部材を、所定の中心軸に回動自在に軸支された、通過自在にニップした原稿の通過の際に従動回転する、断面が正多角形状のものとすると、自動原稿搬送器による原稿搬送がなされている間の、コンタクトガラスへの原稿の押し付けを確実に行うことができ、原稿へ移行させる熱量をより多くすることができる。
【発明の効果】
【００１５】
本発明によれば、ユーザの安全を確保する工夫が図られた原稿読取装置を提供することができる。
【発明を実施するための最良の形態】
【００１６】
以下、本発明の実施形態について説明する。
【００１７】
図１は、本発明の原稿読取装置の第１実施形態の概略構成図である。
【００１８】
図１に示す、本実施形態の原稿読取装置１は、１枚もしくは複数枚の原稿２００が載置される載置台２１、および、この載置台２１に載置された原稿を一枚ずつ送り出し、搬送路に沿って搬送する搬送部２２からなる自動原稿搬送器２０を有する上蓋２と、筐体３０、原稿２００の読取りを行う原稿読取部３１、原稿読取部３１からの原稿画像を表す画像信号を受信すると共に原稿読取部３１の動作を制御する制御部３２、自動原稿搬送器２によって搬送されてきた原稿と対向する位置に備えられたコンタクトガラス３４、および、コンタクトガラス３４に隣接して配備された、ユーザによって原稿が一枚ずつ載置されるプラテンガラス３３を有する画像読取器３とからなる、表裏面に画像が記録された原稿の読取りが可能なものである。尚、自動原稿搬送器２０を備えた上蓋２は、筐体３０の上部に開閉自在に取りつけられており、原稿を搬送する搬送路にそって搬送された原稿は、上蓋２の上面の一部２ａに排出されるようになっている。
【００１９】
原稿読取部３１は、自動原稿搬送器２０によって搬送路に沿って搬送されてくる原稿２００がコンタクトガラス３４上を通過する際に、原稿に記録された画像を読み取るものであり、図１における手前側から奥側にかけて延在して配備され原稿に向けて光を照射する光源３１１と、原稿で反射してきた反射光を水平方向に向けさせるミラー３１３と、ミラー３１３によって水平方向に向けられた反射光の向きを逆向きにするミラーユニット３１４と、ミラーユニット３１４からの反射光を結像させるレンズ３１５と、レンズ３１５により結像された光像を受像し画像信号を出力する受像センサ３１６とで構成されている。
【００２０】
この原稿読取装置１では、原稿２００をプラテンガラス３３上に１枚ずつ載置しての原稿の読取りを、原稿読取部３１の光源３１１やミラーユニット３１４等を筐体３０内で走査させて行ない、自動原稿搬送器２０により自動搬送されてくる原稿の読取りを、原稿読取部３１の光源３１１やミラーユニット３１４等を図１に示す状態に静止させたままで行う。尚、原稿読取部３１の構成要素の走査は、制御部３２によって制御されている。
【００２１】
図２は、上蓋の概略構成図である。
【００２２】
図２には、上蓋２に備えられた自動原稿搬送器２２が、この自動原稿搬送器全体の動作を制御する搬送制御部２２０と、載置台２１に載置された原稿２００を搬送路２２ａに送り出す送出ロール２２１と、表裏面に画像が記録された原稿の読取りの際に、搬送路２２ａに沿った搬送がなされ、両面の内の一方の面の読取りが終了した原稿のもう一方の面の画像を読み取るために原稿の表裏を反転するための反転搬送路２２ｂと、搬送路２２ａに沿った原稿２００の搬送を行う搬送ロール２２２と、原稿を上蓋２の一部２ａに排出する際と搬送路２２ａに沿った搬送を終えた原稿２００を反転搬送路２２ｂに引き込んで反転させる際とで正逆自在に駆動する駆動ロール２２３と、載置台２１の原稿の有無を検知するための第１センサ２２４、原稿の搬送方向におけるコンタクトガラス３４の手前の搬送ロール２２２を原稿２００が通過したことを検知する第２センサ２２５、原稿の搬送方向におけるコンタクトガラス３４を過ぎた直後の搬送ロール２２２を原稿２００が通過したことを検知する第３センサ２２６とで構成されている様子が示されている。
【００２３】
また、図２には、コンタクトガラス３４を保持すると共に搬送路２２ａに沿って搬送されてくる原稿２００の、上蓋２の上面の一部２ａへの排出を補助するための搬送ガイド３６が示されている。
【００２４】
さらに、図２には、上蓋２がコンタクトガラス３４を覆った際に、コンタクトガラス３４と対向する位置に配備される放熱部材２３１が、上蓋２内部に備えられている様子が示されており、この放熱部材２３１は、自動原稿搬送器２２による原稿搬送がなされていない間は、コンタクトガラス３４に接触してコンタクトガラス３４の熱を放熱し、自動原稿搬送器２２により原稿搬送がなされている間は、搬送されてきた原稿２００をコンタクトガラス３４に押し付けると共に、コンタクトガラス３４との間で通過自在にニップすることで、コンタクトガラス３４の熱を原稿２００に移らせている。尚、この放熱部材２３１は、ニップした原稿の搬送に負担がかからなように原稿の通過と共に従動回転する。
【００２５】
図３は、放熱部材の動作を示す図である。尚、ここに示されている部材のうちの第２センサ２２５および第３センサ２２６を除く他の部材は、搬送されてくる原稿が図３における手前側から奥側にかけて延在するものであることに伴い、図３における手前側から奥側にかけて延在している。また、この放熱部材２３１を以下に示すように動作させる具体的な機構の説明は後に譲る。
【００２６】
図３（ａ）には、自動原稿搬送器２２による原稿の搬送がなされていない際には、放熱部材２３１がコンタクトガラス３４に接触している様子が示され、図３（ｂ）には、自動原稿搬送器２２により、所定の原稿２００の先端が第２センサ２２５によって検知される位置まで搬送されてきた様子が示され、図３（ｃ）には、自動原稿搬送器２２により、所定の原稿２００が第３センサ２２６によって検知される位置まで搬送されてきた様子が示されている。
【００２７】
本実施形態の原稿読取装置１では、前述したように、自動原稿搬送器２２による原稿搬送がなされていない間は、図３（ａ）に示すように、放熱部材２３１をコンタクトガラス３４に接触させてコンタクトガラス３４の熱を放熱させ、自動原稿搬送器２２により原稿搬送がなされ、原稿２００の先端が第２センサ２２５によって検知されると、図３（ｂ）に示すように放熱部材２３１を一旦持ち上げてコンタクトガラス３４との間を通過させる。放熱部材２３１とコンタクトガラス３４との間を通過した原稿２００を第３センサ２２６によって検知すると、図３（ｃ）に示すように放熱部材２３１を降下させ、図３（ｄ）に示すように原稿２００をコンタクトガラス３４に押し付けると共に、コンタクトガラス３４との間で通過自在にニップすることでコンタクトガラス３４の熱を原稿２００に移らせている。したがって、本実施形態の原稿読取装置１によれば、コンタクトガラス３４の温度上昇を抑えることができることから、ユーザの安全を確保することができる。
【００２８】
図４は、放熱部材の動作機構を示す図である。尚、放熱部材は、前述したように、図４（ａ）における手前側から奥側にかけて延在したものであり、実際には手前側と奥側との双方で支持されている。
【００２９】
図４（ａ）には正面図、図４（ｂ）には側面図が示されており、放熱部材２３１は、第１アーム２３３に端部が軸支された中心軸２３５によって回転自在となるように貫通された、断面が多角形のアルミ製の部材である。
【００３０】
第１アーム２３３は、一方の端で中心軸２３５を軸支すると共に、他端でステッピングモータ２３２の回転軸２３２１に軸着されている第２アーム２３４と、軸部材２３６を介
して回動自在に連結されている。
【００３１】
放熱部材２３１を貫通する中心軸２３５は、第１アーム２３３に軸支されていると共に、先端部分がガイド２３７に設けられている長孔２３７ａに挿通されており、以上の構成により、放熱部材２３１は、ステッピングモータ２３２が回動することで、図４（ａ）にも示すコンタクトガラス３４に対し離接自在に動作することになる。
【００３２】
図５は、外部からの自動原稿搬送開始を要求する信号を受けて、自動原稿搬送器に動作指示を出すとともに、搬送制御部において実行するルーチンのフローチャートである。
【００３３】
図５に示すステップＳ１では、第２センサ２２５で原稿が検知されたか否かを判定し、検知されるまでステップＳ１を繰り返す。ステップＳ１において、原稿が検知されたと判定すると、ステップＳ２に進み、それまで、コンタクトガラス３４に上に載置されていた放熱部材２３１をコンタクトガラス３４から離間させるように、ステッピングモータ２３２に指示を出す。ステップＳ３では、第３センサ２２６で原稿が検知されているか否かを判定し、検知されるまでステップＳ３を繰り返す。ステップＳ４では、放熱部材２３１が所定のニップ位置にまで下降して、コンタクトガラス３４との間を通過中の原稿を通過自在にコンタクトガラス３４に押し付けるようにステッピングモータ２３２に回動を指示する。ステップＳ５では、第３センサ２２６で、原稿が検知されなくなったか否かが判定され、ステップＳ５において、検知されなくなるまで待機し、検知されていないと判定すると、ステップＳ６に進み、放熱部材２３１を、上述のニップ位置からコンタクトガラス３４と完全に接触した接触位置までの下降を指示する。その後、ステップＳ１に戻る。
【００３４】
図６は、放熱部材と中心軸との関係を示す図である。
【００３５】
図６（ａ）には、放熱部材２３１の外観斜視図、図６（ｂ）には、中心軸２３５の外観斜視図が示されており、図６（ｃ）には、放熱部材２３１中心の貫通孔２３１ａの径が、中心軸２３５の径よりも大きくされている様子が示されている。本実施形態の原稿読取装置１では、放熱部材２３１中心の貫通孔２３１ａの径を、中心軸２３５の径よりも大きくする、すなわちガタがあることで、断面が多角形の放熱部材２３１が下降して角の部分で原稿をニップした場合でも、最終的に放熱部材２３１の面の部分で原稿をコンタクトガラス３４に押し付けることができるようになっており、これにより、コンタクトガラス３４からの熱取りを確実に行うことができる。
【００３６】
次に、本発明の原稿読取装置の第２実施形態について説明する。
【００３７】
本実施形態と第２実施形態との間の相違点は、放熱部材と祖の動作機構であるので、以下では、この点に絞って説明する。
【００３８】
図７は、本実施形態の原稿読取装置に備えられている放熱部材を示す図である。
【００３９】
図７に示す放熱部材３３１は、第１実施形態の原稿読取装置１の放熱部材２３１とは異なり、ニップした原稿の通過に応じて従動回転はしないために、ニップ圧は、第１実施形態よりは下がるものの、原稿との接触面積が大きくとれることで、原稿をコンタクトガラス３４に押し付ける面積も大きくなることから、本実施形態の原稿読取装置によっても、コンタクトガラス３４の温度上昇を抑え、ユーザの安全を確保することができる。
【００４０】
最後に、本発明の原稿読取装置の第３実施形態について説明する。
【００４１】
本実施形態と第１実施形態との間の相違点は、放熱部材とその動作機構であるので、以下では、この点に絞って説明する。
【００４２】
図８は、本実施形態の原稿読取装置に備えられている放熱部材を示す図である。
【００４３】
図８に示す放熱部材４３１は、第１実施形態の原稿読取装置１の放熱部材２３１と同様に、ニップした原稿の通過に応じて従動回転する、ゴムスポンジで形成されたロールであり、原稿をニップした際にはコンタクトガラス３４に馴染むように変形することで原稿を面でコンタクトガラス３４に押し付けることができ、本実施形態の原稿読取装置によっても、コンタクトガラス３４の温度上昇を抑え、ユーザの安全を確保することができる。
【図面の簡単な説明】
【００４４】
【図１】本発明の原稿読取装置の第１実施形態の概略構成図である。
【図２】上蓋の概略構成図である。
【図３】放熱部材の動作を示す図である。
【図４】放熱部材の動作機構を示す図である。
【図５】外部からの自動原稿搬送開始を要求する信号を受けて、自動原稿搬送器に動作指示を出すとともに、搬送制御部において実行するルーチンのフローチャートである。
【図６】放熱部材と中心軸との関係を示す図である。
【図７】本実施形態の原稿読取装置に備えられている放熱部材を示す図である。
【図８】本実施形態の原稿読取装置に備えられている放熱部材を示す図である。
【符号の説明】
【００４５】
１    原稿読取装置
２    上蓋
３    画像読取器
２０    自動原稿搬送器
２２４    第１センサ
２２５    第２センサ
２２６    第３センサ
２３１、３３１、４３１    放熱部材
２３２    ステッピングモータ
２３３    第１アーム
２３４    第２アーム
２３５    中心軸
２３６    軸部材
２３７    ガイド
３０    筐体
３１    原稿読取部
３１１    光源
３１３    ミラー
３１４    ミラーユニット
３１５    レンズ
３１６    受像センサ
３２    制御部
３３    プラテンガラス
３４    コンタクトガラス
３６    搬送ガイド
２００    原稿
２３２１    回転軸
【図１】
2007329647.tif 000003
【図２】
2007329647.tif 000004
【図３】
2007329647.tif 000005
【図４】
2007329647.tif 000006
【図５】
2007329647.tif 000007
【図６】
2007329647.tif 000008
【図７】
2007329647.tif 000009
【図８】
2007329647.tif 000010